(57)【要約】【課題】地面撮り等の異常を検出して、撮影後の編集に役立てることができる撮影装置を提供することを目的とする。【解決手段】ＣＣＤ５０より得られる画像データに対して各種画像処理を施して記録メディアに記録し（Ｓ２０）、加速度検知装置９０によって検出された加速度Ａが所定値より大きく、ＡＦ検出回路７４によってＡＦ制御（ＡＦサーチ）が所定時間継続している場合に、記録した画像データに異常撮影警告情報を追加して記録する（Ｓ２２〜Ｓ２８）。すなわち、所定の加速度Ａ（ｒａｄ／ｓ）を越えて、ＡＦサーチ状態が所定時間を越えて継続している場合に、異常撮影と判定して、異常撮影であることを表す異常撮影警告情報を記録された画像データに対応して記録する。【選択図】        図４
2004159083.tif 000002
【特許請求の範囲】
【請求項１】
被写体を撮影して撮影画像を取得する撮影手段と、
前記撮影手段によって取得された撮影画像を記憶する記憶手段と、
前記撮影手段によって取得された撮影画像の異常を検出する検出手段と、
前記検出手段の検出結果に基づいて、撮影画像の異常を表す異常撮影警告情報を前記撮影画像に対応して前記記憶手段に記憶する警告情報記憶手段と、
を備えた撮影装置。
【請求項２】
前記検出手段は、撮影画像の異常を検出するための異常情報を検知する検知手段と、前記検知手段の検知結果に基づいて、撮影画像の異常を判定する判定手段と、を含み、前記判定手段の判定結果を前記検出手段の検出結果とすることを特徴とする請求項１に記載の撮影装置。
【請求項３】
前記検知手段は、撮影装置に加わる加速度及び角速度の少なくとも一方を前記異常情報として検知することを特徴とする請求項２に記載の撮影装置。
【請求項４】
前記検知手段は、前記撮影手段に被写体像を結像する光学系の焦点を調整する調整手段の調整状態を前記異常情報として検知することを特徴とする請求項２又は請求項３に記載の撮影装置。
【請求項５】
前記判定手段は、前記検知手段によって所定の加速度を越えた加速度及び所定の角速度を越えた角速度の少なくとも一方を検知し、前記調整手段による調整が所定時間を越えて継続して行われていることを検知したときに、撮影画像の異常であると判定することを特徴とする請求項４に記載の撮影装置。
【請求項６】
前記記憶手段に記憶された前記異常撮影警告情報に基づいて、撮影画像の編集を行う編集手段をさらに備えることを特徴とする請求項１乃至請求項５の何れか１項に記載の撮影装置。
【請求項７】
前記編集手段は、前記異常撮影警告情報に対応する撮影画像を表示する表示手段と、前記異常撮影警告情報に対応して記憶された撮影画像が異常か否かを入力するための入力手段と、を含み、前記入力手段の入力に応じて、撮影画像及び対応する前記異常撮影警告情報の削除、または前記異常撮影警告情報の削除を行うことを特徴とする請求項６に記載の撮影装置。
【発明の詳細な説明】
【０００１】
【発明の属する技術分野】
本発明は、撮影装置にかかり、特に、デジタルカメラやデジタルビデオカメラ等の撮影装置に関する。
【０００２】
【従来の技術】
近年、簡便に撮影可能なＣＣＤ撮像素子などを用いた撮像装置として、デジタルカメラが数多く流通している。デジタルカメラは、その撮影時には、レリーズスイッチを操作することをトリガとして、ＣＣＤ撮像素子などで光量に応じた電荷（光電変換）を画素毎に読み取って、画像データに変換した後に、撮影画像を画像データとして磁気記録媒体等の記録媒体に記録している。
【０００３】
撮影から記録までの過程では、撮影コマ毎に、主な処理として、撮影画像のデジタル変換、撮影画像表示のための画像作成、そして撮影画像を記録するための記録処理の各々が行われている。
【０００４】
このように、デジタルカメラでは、レリーズスイッチの操作で撮影画像の記録を簡単に行うことができる。
【０００５】
また、この種デジタルカメラでは、動画像を撮影することも可能なものもあり、さらには動画像を撮影するデジタルビデオカメラ等も各種提案されている。
【０００６】
ところで、動画像を撮影可能な撮影装置では、撮影開始ボタン等の誤操作等により、ユーザが意図しない撮影を行ってしまう場合がある。すなわち、撮影開始ボタンが間違って操作されてることにより、地面等を撮影している場合がある。
【０００７】
そこで、特許文献１に記載の技術では、地面撮り回路により地面撮りを検出して、制御回路により電子ビューファインダにこの旨を警告表示して、撮影開始ボタン（ＲＥＣ）を撮影者が操作しない場合に撮影を一時停止することによって、地面撮りによる誤記録を防止している。
【０００８】
【特許文献１】
特開平８−２７５０３３号公報（第１頁、第１図）
【０００９】
【発明が解決しようとする課題】
しかしながら、従来の特許文献１に記載の技術では、地面撮りを検出しても、撮影を一時停止するので、地面撮りの検出を撮影後の編集に役立てることができない、という問題がある。
【００１０】
本発明は、上記問題を解決すべく成されたもので、地面撮り等の異常を検出して、撮影後の編集に役立てることができる撮影装置を提供することを目的とする。
【００１１】
【課題を解決するための手段】
上記目的を達成するために請求項１に記載の発明は、被写体を撮影して撮影画像を取得する撮影手段と、前記撮影手段によって取得された撮影画像を記憶する記憶手段と、前記撮影手段によって取得された撮影画像の異常を検出する検出手段と、前記検出手段の検出結果に基づいて、撮影画像の異常を表す異常撮影警告情報を前記撮影画像に対応して前記記憶手段に記憶する警告情報記憶手段と、を備えることを特徴としている。
【００１２】
請求項１に記載の発明によれば、撮影手段では、被写体を撮影して撮影画像が取得され、撮影手段の撮影によって取得された撮影画像は、記憶手段に記憶される。例えば、撮影手段は、静止画像撮影や動画像撮影を行うことができる。
【００１３】
検出手段では、撮影手段によって取得された撮影画像の異常が検出される。例えば、検出手段では、意図しない撮影（意図しない撮影開始指示がなされること）によって取得された地面撮りなどの撮影画像か否かが検出される。
【００１４】
警告情報記憶手段では、検出手段の検出結果に基づいて、撮影画像に対応して撮影画像の異常を表す異常撮影警告情報が記憶手段に記憶される。
【００１５】
すなわち、記憶手段に記憶された異常撮影警告情報を、撮影後の編集に役立てることができる。
【００１６】
請求項２に記載の発明は、請求項１に記載の発明において、前記検出手段は、撮影画像の異常を検出するための異常情報を検知する検知手段と、前記検知手段の検知結果に基づいて、撮影画像の異常を判定する判定手段と、を含み、前記判定手段の判定結果を前記検出手段の検出結果することを特徴としている。
【００１７】
請求項２に記載の発明によれば、請求項１に記載の発明において、検知手段によって、撮影画像の異常を検出するための異常情報が検知され、検知手段の検知結果に基づいて、撮影画像の異常が判定手段によって判定され、判定結果が検出手段の検出結果とされる。例えば、検知手段は、請求項３に記載の発明のように、撮影装置に加わる加速度及び角速度の少なくとも一方を異常情報として検知するようにしてもよいし、請求項４に記載の発明のように、撮影手段に被写体像を結像する光学系の焦点を調整する調整手段の調整状態を異常状態として検知するようにしてもよい。なお、少なくとも撮影装置に加わる加速度、角速度、及び調整手段の調整情報の少なくとも１つの異常情報を検出するようにしてもよい。
【００１８】
そして、判定手段は、例えば、請求項５に記載の発明のように、検知手段によって所定の加速度を越えた加速度及び所定の角速度を越えた加速度の少なくとも一方を検知し、調整手段による調整が所定時間を超えて継続して行われているときに、撮影画像の異常であると判定することができる。すなわち、地面撮り等の撮影画像では、所定の加速度及び所定の角速度の少なくとも一方を越えて、調整手段の調整が定まらない状態が続くので、この状態を撮影画像の異常と判定することができる。
【００１９】
なお、請求項１乃至請求項５の何れか１項に記載の発明は、請求項６に記載の発明のように、さらに編集手段を備えるようにしてもよい。すなわち、記憶手段に記憶された異常撮影警告情報に対応する撮影画像が異常か否かを確認して、撮影画像の削除などの編集を行うことが可能となる。このとき、編集手段は、請求項７に記載の発明のように、表示手段と入力手段を含むことにより、表示手段に表示された異常撮影警告情報に対応する撮影画像が異常か否かを確認して確認結果を入力することができる。そして、入力手段に入力された確認結果に応じて、撮影画像と該撮影画像に対応する異常撮影警告情報の削除、または異常撮影警告情報の削除を行うことにより、異常撮影警告情報に対応する撮影画像の編集を行うことができる。
【００２０】
【発明の実施の形態】
以下、図面を参照して本発明の実施の形態の一例を詳細に説明する。
【００２１】
図１（Ａ）に示すように、本発明が適用されたデジタルカメラ１０の上面には、露光に際して被写体が適正な露光光量が得られない低照度の場合に、本体内部よりポップアップして発光されるストロボ１８が設けられ、正面には、撮影される被写体像と略同等の像を示す光が入射するファインダ窓１６と、被写体像を結像させるための光学ユニット１４と、が設けられている。また、デジタルカメラ１０の側面には、撮影によって得られた画像データをデジタルデータとして記憶する可搬型の記録メディア（本実施の形態では、スマートメディア）３０（図２参照、図１では省略）を装着可能なスロット２４と、デジタルカメラ１０の撮影によって得られる画像データを外部の機器へ送信するためのＵＳＢ端子４２やその他の端子４４が設けられている。また、交流で電源から電源を得るためのＡＣアダプタを接続するＡＣアダプタ接続口２８が設けられており、交流電源をデジタルカメラ１０へ供給可能なように構成されている。
【００２２】
なお、光学ユニット１４は、所謂沈胴式の光学レンズであり、撮影時以外は、当該デジタルカメラ１０の本体の筐体１２内に沈胴されており、撮影時には、光軸方向に伸縮可能な鏡筒１５が伸長されて、図１（Ａ）に示すように筐体１２の外部に現れるようになっている。また、この光学ユニット１４は、鏡筒１５内に、撮影レンズ３６と、フォーカスレンズ４０と、絞り機構３８とを含んでいる（図２参照）。撮影レンズ３６は、１枚又は複数枚のレンズで構成され、単一の焦点距離（固定焦点）のレンズでもよいし、ズームレンズや望遠／広角の二焦点切替式レンズの如く焦点距離可変のものでもよい。
【００２３】
一方、デジタルカメラ１０の背面には、図１（Ｂ）に示すように、撮影によって得られた被写体像、各種メニュー、パラメータ等を表示する表示装置（ＬＣＤ）２６と、ファインダ窓１６から入射した光が図示しない光学部材を介して案内され、撮影する被写体像の構図を決定する際に撮影者によって覗かれるファインダー接眼部１６ａと、撮影倍率をアップ又はダウンしたり、表示装置２６に表示されるメニュー画面から所望のメニュー項目又はパラメータを選択する際等に撮影者によって操作される８方向キー３４と、が設けられている。また、表示装置２６の近傍には、デジタルカメラ１０の各部への電源電力の供給／供給停止の切り替えを行う電源スイッチ２０が設けられている。
【００２４】
さらに、デジタルカメラ１０の上面には、撮影記録の指示入力のために撮影者によって押圧操作されるシャッタスイッチ（所謂レリーズスイッチ）２２と、撮影モードや編集モード等の各種モードを選択する際に撮影者によって回転操作されるモードダイヤル１７と、が設けられている。
【００２５】
次に、図２を参照して、本発明の実施の形態に係わるデジタルカメラ１０の電気系の構成を説明する。
【００２６】
図２に示すように、デジタルカメラ１０は、光学ユニット１４の光軸後方に配置されたＣＣＤ（Ｃｈａｒｇｅ  Ｃｏｕｐｌｅｄ  Ｄｅｖｉｃｅ）５０と、ＣＣＤ５０から読出された被写体像を表す出力信号を相関二重サンプリング（ＣＤＳ：Ｃｏｒｒｅｌａｔｅｄ  Ｄｏｕｂｌｅ  Ｓａｍｐｌｉｎｇ）処理すると共に、Ｒ、Ｇ、Ｂの各色信号に色分解処理して、各色信号の信号レベルの調整を行うＣＤＳ回路５２と、ＣＤＳ回路５２により処理されたアナログ信号をデジタル信号に変換するデジタル／アナログ変換器（以下、Ａ／Ｄ変換器という）５４と、ＣＣＤ５０を駆動するためのタイミング信号を生成するタイミングジェネレータ（ＴＧ）５６と、光学ユニットユニット１４に含まれる撮影レンズ３６を移動（鏡筒の伸縮）させるためのズームモータ、フォーカスレンズ４０を移動させるためのＡＦ（Ａｕｔｏ  Ｆｏｃｕｓ）モータ、及び絞り機構３８を駆動するアイリスモータ等の各モータを駆動するためのモータドライバ５８と、デジタルカメラ１０の全体的な動作を司る主制御部６０と、を備えている。
【００２７】
また、主制御部６０は、Ａ／Ｄ変換器５４によるデジタル変換後の信号をＣＣＤ５０による撮影結果（被写体像）を表す画像データとして入力するための画像入力制御部６２と、入力された画像データに対して所定のデジタル信号処理を行う画像信号処理回路６４と、表示装置２６に表示する画像データを格納するためのＶＲＡＭ６６と、ＶＲＡＭ６６に格納された画像データに基づく画像を表示するように表示装置２６の表示を制御するための表示制御部６８と、画像データを圧縮・伸張する圧縮信号処理回路７０と、スロット２４に装填された記録メディア３０に対して各種情報を読み書きするメディア制御部７２と、ＣＣＤ５０による撮影結果に基づいて最適な露出及びホワイトバランスを検出するＡＥ（Ａｕｔｏ  Ｅｘｐｏｓｕｒｅ）・ＡＷＢ（Ａｕｔｏ  Ｗｈｉｔｅ  Ｂａｌａｎｃｅ）検出回路７６と、フォーカスレンズ４０を移動して焦点調整するためのＡＦ検出回路７４と、ワークメモリとして用いられるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）７８と、各種プログラムやパラメータ等の情報が予め記憶されたＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）８０と、ＥＥＰＲＯＭ８０から適宜情報を読出して上記各部を制御するＣＰＵ８２と、がバス８４により相互に接続されている。また、ＣＰＵ８２は、ＴＧ５６、モータドライバ５８とに接続されている。
【００２８】
なお、ＣＣＤ５０、ＣＤＳ回路５２、Ａ／Ｄ変換器５４、及び画像入力制御部６２は本発明の撮影手段に相当する。
【００２９】
さらに、ＣＰＵ８２は、ユーザにより操作する操作手段としてデジタルカメラ１０に設けられている８方向キー３４、電源スイッチ２０、シャッタスイッチ２２、及びモードダイヤル１７とが接続されており、撮影者によるこれら操作手段の操作情報を常時把握できる。
【００３０】
詳しくは、モードダイヤル１７により静止画又は動画撮影モードが選択されている場合、ＣＰＵ８２は、ＴＧ５６を駆動させ、所定のタイミングでＣＣＤ５０に被写体像を撮影させる。
【００３１】
なお、一般に、ＣＣＤ５０には、シャッタゲートを介してシャッタドレインが設けられており、シャッタゲートをシャッタゲートパルスによって駆動することにより、蓄積した信号電荷をシャッタドレインに掃き出すことができる。すなわち、ＣＣＤ５０は、シャッタゲートパルスによって各センサに蓄積される電荷の蓄積時間（シャッタスピード）を制御する。所謂電子シャッタ機能を有しているが、電子シャッタの変わりにメカニカルシャッタを設けるようにしてもよい。
【００３２】
ＣＣＤ５０から出力された被写体像を示すアナログ信号は、ＣＤＳ回路５２による処理が施され、Ａ／Ｄ変換器５４によりデジタル画像信号に変換された後、画像データとして、画像入力制御部６２から主制御部６０内に入力される。この入力された画像データは、バス８４を介してＳＤＲＡＭ７８に一旦蓄積される。
【００３３】
主制御部６０では、入力された画像データに基づいて、ＡＦ検出回路７４において焦点評価演算、ＡＥ・ＡＷＢ検出回路７６において、ＡＥ演算、ＡＷＢ演算が行われ、ＣＰＵ８２は、これらの演算に基づいて、モータドライバ５８及びＣＣＤ５０を制御して、フォーカスレンズ４０や絞り機構３８の駆動手段（例えばＡＦモータやアイリスモータ等）及びＣＣＤ５０の電子シャッタ機能を駆動し、フォーカスレンズ４０を合焦位置に移動させると共に、絞り機構３８及び電子シャッタ機能を適正な露光制御値（絞り値やシャッタスピード）に設定し、ＡＷＢ調整値（後述のデジタルゲイン）を設定する。なお、フォーカスレンズ４０及びフォーカスレンズ４０を駆動制御するモータドライバ５８は本発明の調整手段に相当する。
【００３４】
例えば、ＡＦ検出回路７４におけるＡＦ制御には、Ｇ信号の高周波成分が最大になるようにフォーカスレンズ４０を移動させるコントラストＡＦ方式が採用可能である。
【００３５】
ＡＥ制御では、１フレームのＲ、Ｇ、Ｂ信号を積算した積算値に基づいて被写体輝度（撮影ＥＶ）を求め、この撮影ＥＶに基づいて露光制御値として絞り値とシャッタスピードとを決定し、モータドライバ５８により絞り機構３８を制御すると共に、ＣＰＵ８２によりＣＣＤ５０の電子シャッタ機能を制御する。
【００３６】
また、ＡＷＢ調整には、被写体輝度（撮影ＥＶ）と、Ｒ／Ｇ、Ｂ／Ｇといった色情報を用いて光源種を判別し、光源の色温度に関わらずに、白い被写体が白く色再現されるようにホワイトバランスを調整するためのデジタルゲインを定める。
【００３７】
従って、デジタルカメラ１０では、光学ユニット１４（撮影レンズ３６）を被写体に向けるだめで、ピント合せが自動的に行われる共に、最適な露出調整及びＡＷＢ調整が行われる。
【００３８】
具体的には、モードダイヤル１７により静止画撮影モードが選択されている場合、すなわち静止画撮影記録時においては、シャッタスイッチ２２の「半押し」時に上述した測光動作を複数回繰り返して、フォーカスレンズ４０を移動してピントを合わせると共に、正確な撮影ＥＶを求め、この撮影ＥＶに基づいて撮影時の露光制御値としての絞り値及びシャッタスピードを最終的に決定し、かつデジタルゲインを決定する。そして、シャッタスイッチ２２の「全押し」時に最終的に決定した絞り値になるように絞り機構３８を駆動した後、最終的に決定したシャッタスピードとなるようにＣＣＤ５０の電子シャッタ機能を駆動する。また、このとき得られた画像データに対して、前記決定したデジタルゲインを用いて画像信号処理回路６４においてＡＷＢ調整処理が施される。
【００３９】
また、モードダイヤル１７により動画撮影モードが選択されている場合、すなわち動画撮影記録時においては、常時この制御動作が繰り返し行われ、該モード選択期間中は適切なＡＦ制御、ＡＥ制御、及びＡＷＢ調整が継続して行われる。
【００４０】
また、主制御部６０では、入力された画像データに対して、画像信号処理回路６４により所定のデジタル画像処理が施される。詳しくは、画像信号処理回路６４では、光源種に応じたデジタルゲインをかけることでＡＷＢ調整を行うと共に、ガンマ処理及びシャープネス処理等を行って所定のデジタル画像データを生成し、更にＹＣ変換処理して、輝度データＹとクロマデータＣｒ、Ｃｂ（以下、ＹＣ信号という）に変換する。画像信号処理回路６４により生成されたＹＣ信号は、ＶＲＡＭ６６に書き込まれる。
【００４１】
ＶＲＡＭ６６に記憶されたＹＣ信号は、表示制御部６８に供給され、所定の方式の信号（例えば、ＮＴＳＣ方式のカラー復号映像信号）に変換されて表示装置２６に出力される。これにより、表示装置２６にＣＣＤ５０により撮影された被写体像を示す画像が表示される。
【００４２】
また、ＣＣＤ５０から出力される画像信号によって画像データが適宜に書き換えられ、その画像データから生成される映像信号が表示装置２６に供給されることにより、ＣＣＤ５０が捉える被写体像が略リアルタイムに動画像として、或いは連続した画像として表示装置２６に表示される。
【００４３】
表示装置２６は、電子ビューファインダとしても機能し、撮影者はこの表示装置２６の表示画像（所謂スルー画像）、又は光学ファインダ（図１のファインダ窓１６から入射した光を図示しない光学部材によりファインダ接眼部１６ａに案内することで実現される）によって、撮影画角を確認することができる。シャッタスイッチ２２の押下操作など所定の記録指示（撮影指示）操作に呼応して、記録用の画像データの取込みが開始される。
【００４４】
また、主制御部６０では、シャッタスイッチ２２の押下により撮影記録が指示されると、ＣＰＵ８２の制御により、画像信号処理回路６４で生成されたＹＣ信号がＳＤＲＡＭ７８にも格納される。このＹＣ信号は、圧縮伸長処理回路７０でＪＰＥＧなどの所定の圧縮方式で圧縮された後、メディア制御部７２を介して、記録メディア３０に記録される。なお、画像データの圧縮は必須ではなく、操作者の操作により当該圧縮の解除指定がなされた場合には、圧縮伸長処理回路７０による圧縮処理は省略されて、記録メディア３０に記録される。
【００４５】
なお、記録メディア３０は、スマートメディアの他にも、例えば、ＰＣカード、マイクロドライブ、マルチメディアカード（ＭＭＣ）、磁気ディスク、光ディスク、光磁気ディスク、メモリスティック等の種々の形態が可能であり、使用されるメディアに応じて信号処理手段とインターフェースが適用される。
【００４６】
また、画像再生時には、記録メディア３０に記憶された再生対象の画像データがメディア制御部７２を介して読出されてＳＤＲＡＭ７８に格納される。このＳＤＲＡＭ７８に格納された画像データは、圧縮伸長処理回路７０によって伸長処理された後、ＳＤＲＡＭ７８に書き戻され、ＶＲＡＭ６６に再生画像データとして蓄積して、表示制御部６８を介して表示装置２６に表示される。
【００４７】
さらに、本実施の形態に係わるデジタルカメラ１０には、動画撮影時などの地面撮り等の異常撮影を検出するためにデジタルカメラ１０に加わる加速度を検知する加速度検知装置９０がＣＰＵ８２に接続されている。本実施の形態では、ＣＰＵ８２は、当該加速度検知装置９０の検知結果に加えて上述ＡＦ検出回路７４によるＡＦサーチに基づいて地面撮り等の異常撮影を検出する。
【００４８】
なお、加速度検知装置９０の代わりに角速度を検知する角速度検知装置を用いるようにしてもよいし、加速度及び角速度の双方を検知する検知装置を用いるようにしてもよい。
【００４９】
具体的には、本実施の形態に係わるデジタルカメラ１０におけるＣＰＵ８２により行われる地面撮り等の異常撮影の検出は、加速度検知装置９０の検知結果から所定の加速度Ａ（ｒａｄ／ｓ）を越えたか否かを検知し、ＡＦ検出回路７４における焦点評価演算の演算結果が合焦位置にあるか否かを確認して、これらの確認結果に基づいて、異常撮影か否かを判定するようになっている。詳細には、所定の加速度Ａ（ｒａｄ／ｓ）を越えて、ＡＦサーチ状態が所定時間を越えて継続している場合に、異常撮影と判定するようになっている。これによって、地面撮り等の異常撮影を検出することができる。
【００５０】
また、上述のようにＣＰＵ８２によって異常撮影が検出された場合には、当該撮影画像に異常撮影警告情報が追加して記録されるようになっている。すなわち、撮影画像に対応して異常撮影警告情報が記録メディア３０等に記録され、モードダイヤル１７の操作によって実行される編集モードで、異常撮影警告情報が追加された撮影画像の要否を８方向キー３４等の各種スイッチを操作して判定することができるようになっている。
【００５１】
続いて、上述のように構成された本発明の実施の形態に係わるデジタルカメラ１０の動作について動画像撮影を例に図３及び図４を参照して説明する。
【００５２】
モードダイヤル１７が操作されて動画モードが指示されると、ステップＳ１０では、ＣＣＤ５０の撮影によって得られる撮影画像としての画像データが表す画像が表示装置２６に表示される。
【００５３】
次に、ステップＳ１２では、撮影開始指示がなされたか否か判定される。該判定は、シャッタスイッチ２２が操作されたか否かを判定することによって行われ、該判定が否定された場合には、肯定されるまで待機してステップＳ１４へ移行する。
【００５４】
ステップＳ１４では、ＡＥ制御及びＡＦ制御が行われる。すなわち、主制御部６０では、入力された画像データに基づいて、ＡＦ検出回路７４において焦点評価演算、ＡＥ・ＡＷＢ検出回路７６において、ＡＥ演算、ＡＷＢ演算が行われ、ＣＰＵ８２が、これらの演算に基づいて、モータドライバ５８及びＣＣＤ５０を制御して、フォーカスレンズ４０や絞り機構３８の駆動手段（例えばＡＦモータやアイリスモータ等）及びＣＣＤ５０の電子シャッタ機能を駆動し、フォーカスレンズ４０を合焦位置に移動させると共に、絞り機構３８及び電子シャッタ機能を適正な露光制御値に設定し、ＡＷＢ調整値を設定する。
【００５５】
そして、ステップＳ１６では、撮影画像の記録処理が行われる。ここで、図４のフローチャートを参照して撮影画像の記録処理について説明する。
【００５６】
まず、ステップＳ２０では、ＣＣＤ５０より得られる画像データに対して各種画像処理が施されて記録メディア３０に記録される。
【００５７】
続いて、ステップＳ２２では、加速度検知装置９０によって検出された加速度Ａが所定値より大きいか否か判定される。該判定が肯定された場合には、ステップＳ２４へ移行する。
【００５８】
ステップＳ２４では、ＡＦ検出回路７４によってＡＦ制御が行われている状態（ＡＦサーチ中）であるか否か判定される。該判定が肯定された場合には、ステップＳ２６へ移行する。
【００５９】
ステップＳ２６では、ＡＦサーチが所定時間継続しているか否か判定される。該判定が否定された場合には、ステップＳ２４に戻って再びＡＦサーチ中か否か判定される。
【００６０】
ステップＳ２６の判定が肯定された場合には、ステップＳ２８へ移行して、記録した画像データに異常撮影警告情報が追加して記録されて、図３のステップＳ１８にリターンされる。すなわち、所定の加速度Ａ（ｒａｄ／ｓ）を越えて、ＡＦサーチ状態が所定時間を越えて継続している場合に、異常撮影と判定して、異常撮影であることを表す異常撮影警告情報が記録された画像データに対応して記録される。
【００６１】
一方、ステップＳ２２及びステップＳ２４の判定が否定された場合には、そのまま図３のステップＳ１８にリターンされる。
【００６２】
ここで、図３のフローチャートに戻って説明をする。
【００６３】
ステップＳ１８では、撮影終了指示がなされたか否か判定される。該判定は、シャッタスイッチ２２が再度操作されたか否かによって行われる。
【００６４】
ステップＳ１８の判定が否定された場合には、ステップＳ１４に戻って動画像の撮影が継続され、ステップＳ１８の判定が肯定された場合には、一連の処理を終了する。
【００６５】
なお、ステップＳ２０は本発明の記憶手段に相当し、ステップＳ２２、Ｓ２４、Ｓ２６は、本発明の検出手段に含まれる検知手段及び判定手段に相当し、ステップＳ２８は本発明の警告情報記憶手段に相当する。
【００６６】
次に、上述のようにして異常撮影警告情報が記録された画像データの編集の一例について図５のフローチャートを参照して説明する。なお、図５で行われる編集の処理が本発明の編集手段に相当する。
【００６７】
モードダイヤル１７が操作されて編集モードへ移行するとステップＳ３０では、記録された撮影画像を表す画像データの異常撮影警告情報が検索される。
【００６８】
次にステップＳ３２では、異常撮影警告情報が記録メディア３０に記録されているか否か判定される。記録メディア３０に異常撮影警告情報が記録されておらず、該判定が否定された場合には、そのまま編集の処理を終了し、記録メディア３０に異常撮影警告情報が記録されている場合には、ステップＳ３３へ移行して、異常撮影警告情報に対応する撮影画像を表示装置２６に表示してステップＳ３４へ移行する。
【００６９】
ステップＳ３２に判定が肯定された場合には、ステップＳ３４へ移行して異常撮影警告情報の撮影画像が不要か否か判定される。該判定は、８方向キー３４等の各種スイッチを操作して撮影画像が不要であることを表す入力が行われたか否かによって判定され、該判定が否定された場合には、ステップＳ３６へ移行する。
【００７０】
ステップＳ３６では、異常撮影警告情報が削除されてステップＳ３８へ移行する。
【００７１】
ステップＳ３４が肯定された場合には、ステップＳ４０へ移行して、異常撮影警告情報に対応する撮影画像の画像データが削除されて、ステップＳ３８へ移行する。
【００７２】
ステップＳ３８では、異常撮影警告情報があるか否か再度判定され、さらに異常撮影警告情報が記録されている場合には、ステップＳ３３に戻って上述の処理が繰り返されて、全ての異常撮影警告情報に対して撮影画像の画像データを消去するか、異常撮影警告情報を消去するか行われたところで一連の処理を終了する。
【００７３】
なお、モードダイヤル１７が操作されて他のモードへ移行する指示がなされた場合にも、一連の処理を終了する。この場合には編集の途中段階を記憶して、再度編集モードが指示された時に、途中段階を読出して編集を再開するようにしてもよい。
【００７４】
また、ステップＳ３３は本発明の表示手段に相当し、ステップＳ３４は本発明の入力手段に相当する。
【００７５】
なお、上記の実施の形態では、所定の加速度Ａよりも大きい加速度を検知して、ＡＦ制御が所定時間を越えて継続している場合に、異常撮影であると判定するようにしたが、これに限るものではなく、所定の加速度Ａよりも大きい加速度のみを検知した場合に、異常撮影であると判定するようにしてもよい。また、デジタルカメラ１０に加わる加速度と角速度の双方を検知して、それぞれの予め定めた閾値を越えたときに、異常撮影と判定するようにしてもよいし、加えてＡＦ制御が所定時間を越えて継続しているときに、異常撮影と判定するようにしてもよい。
【００７６】
また、上記の実施の形態では、動画撮影の動作（図３及び図４）を一例として説明したが、静止画についても同様に適用することができる。
【００７７】
【発明の効果】
以上説明したように本発明によれば、撮影画像の異常を検出して、撮影画像の異常を表す異常撮影警告情報を撮影画像に対応して記憶するので、地面撮り等の異常を検出して、撮影後の編集に役立てることができる、という効果がある。
【図面の簡単な説明】
【図１】本発明の実施の形態に係わるデジタルカメラの外観を示す斜視図である。
【図２】本発明の実施の形態に係わるデジタルカメラの電気系の構成を示すブロック図である。
【図３】本発明の実施の形態に係わるデジタルカメラの動画像撮影時の動作の一例を示すフローチャートである。
【図４】撮影画像記録処理の一例を示すフローチャートである。
【図５】異常撮影警告情報が記録された画像データの編集の一例を表すフローチャートである。
【符号の説明】
１０    デジタルカメラ
１７    モードダイヤル
３０    記録メディア
３４    ８方向キー
４０    フォーカスレンズ
５０    ＣＣＤ
５２    ＣＤＳ回路
５４    Ａ／Ｄ変換器
５８    モータドライバ
６２    画像入力制御
７２    メディア制御部
７４    ＡＦ検出回路
８２    ＣＰＵ
９０    加速度検知装置
【図１】
2004159083.tif 000003
【図２】
2004159083.tif 000004
【図３】
2004159083.tif 000005
【図４】
2004159083.tif 000006
【図５】
2004159083.tif 000007